(57)【特許請求の範囲】
【請求項１】
表示領域を有するカーオーディオ装置において、
任意の表示パターンを記録した記録媒体を着脱する着脱手段と、
この着脱手段に装着された記録媒体に記録されている表示パターンを読み込み、新規の表示パターンとして登録する登録手段と、
前記記録媒体が前記着脱手段に対し未装着の状態で、この登録手段により登録された新規の表示パターンを表示させる表示制御手段と、
を備えることを特徴とするカーオーディオ装置。
【請求項２】
前記登録手段は、任意の表示パターンを、車速、現在位置、音量等の外的要因と対応付けて複数登録し、
前記外的要因の変化を検知する検知手段と、
この検知手段により外的要因の変化が検知された際に、前記登録手段に登録された複数の表示パターンの切替を指示する切替指示手段と、
を更に備え、
前記表示制御手段は、この切替指示手段による切替指示に従って、前記複数の表示パターンを切り替えて表示させることを特徴とする請求項１記載のカーオーディオ装置。
【請求項３】
表示領域を有するカーオーディオ装置の表示制御方法において、
任意の表示パターンを記録した記録媒体を装着する装着工程と、
この装着工程で装着された記録媒体に記録されている表示パターンを読み込み、新規の表示パターンとして登録する登録工程と、
前記記録媒体が未装着の状態で、この登録工程で登録された新規の表示パターンを表示させる表示制御工程と、
を含むことを特徴とするカーオーディオ装置の表示制御方法。
【発明の詳細な説明】
【０００１】
【発明の属する技術分野】
本発明は、表示領域を有するカーオーディオ装置及びその表示制御方法に関する。
【０００２】
【従来の技術】
近年、多様な車載製品の商品化に伴い、車内で音楽やラジオ放送を聴くことができるカーオーディオ装置が普及している。この様なカーオーディオ装置には、本体前面に液晶表示部を備え、出荷時にメーカーによって登録された表示パターンを表示可能なものもある。また、幾つかの既存の表示パターンの中から、ユーザが所望の表示パターンを選択して、表示させるものもあった。
【０００３】
【発明が解決しようとする課題】
しかしながら、従来のカーオーディオ装置では、ユーザによる表示パターンの選択範囲は、メーカーが登録した既存の表示パターンに限られ、必ずしもユーザが所望する表示パターンを画面に表示させることはできなかった。例えば、メーカーによってイルカの泳ぐ表示パターンが登録されている場合には、そのイルカの表示パターンの表示を指示するか、何も表示しないかの選択しかできず、特にユーザの好みに合わない表示パターンしか登録されていない場合には、不都合であった。
【０００４】
上記問題点を解決するため、本発明の課題は、ユーザが新規に登録した表示パターンを切り替えて表示させるカーオーディオ装置、及びその表示制御方法を提供することである。
【０００５】
【課題を解決するための手段】
本発明は、上記課題を解決するため、以下の様な特徴を備えている。なお、以下に示す手段の説明中、括弧書きにより実施の形態に対応する構成を例示する。
【０００６】
請求項１記載の発明は、
表示領域を有するカーオーディオ装置（例えば、図２のカーオーディオ装置１０）において、
任意の表示パターンを記録した記録媒体（例えば、図２の記録媒体Ｍ）を着脱する着脱手段（例えば、図２の記憶部１３）と、
この着脱手段に装着された記録媒体に記録されている表示パターンを読み込み、新規の表示パターンとして登録する登録手段（例えば、図２のＣＰＵ１１）と、
前記記録媒体が前記着脱手段に対し未装着の状態で、この登録手段により登録された新規の表示パターンを表示させる表示制御手段（例えば、図２のＣＰＵ１１）と、
を備えることを特徴としている。
【０００７】
従って、請求項１記載の発明によれば、ユーザが所望の表示パターンを登録して、既存の表示パターンに追加することができ、表示パターンの選択範囲が広がる。これにより、ハード的には同一のカーオーディオ装置であっても、各装置の独自性や娯楽性を高じることができる。また、記録媒体を介して外部から表示パターンをカーオーディオ装置に登録できる。これにより、ユーザ自作の表示パターンを使用することは勿論、第三者間での表示パターンの交換やネットワークからダウンロードした表示パターンの使用が可能となる。更に、メーカーがその記録媒体をカーオーディオ装置に標準添付したり、単体として販売することによって製品の差別化を図ることもできる。
【０００８】
更に、請求項２記載の発明は、請求項１記載の発明において、
前記登録手段は、任意の表示パターンを、車速、現在位置、音量等の外的要因と対応付けて複数登録し、
前記外的要因の変化を検知する検知手段（例えば、図２の車速検知部１８）と、
この検知手段により外的要因の変化が検知された際に、前記登録手段に登録された複数の表示パターンの切替を指示する切替指示手段（例えば、図２のＣＰＵ１１）と、
を更に備え、
前記表示制御手段は、この切替指示手段による切替指示に従って、前記複数の表示パターンを切り替えて表示させることを特徴としている。
【０００９】
従って、請求項２記載の発明によれば、ユーザは画面上に表示されている表示パターンを見るだけで、車速、現在位置、音量等の現在の外的状況を容易かつ瞬時に把握できる。特に、運転中の様に、表示画面を長時間見ることが適さない場合には効果的である。
【００１０】
【発明の実施の形態】
以下、図１〜図４を参照して本発明の実施の形態におけるカーオーディオ装置１０の構成、及び動作について説明する。
【００１１】
まず、構成を説明する。
図１は、本実施の形態におけるカーオーディオ装置１０と外部機器であるパーソナルコンピュータ（以下、「ＰＣ」と記す。）２０間における表示パターンの授受の様子を概念的に示した図である。この図１に示す様に、ＰＣ２０は、添付或いは市販のＣＤ−ＲＯＭに予め記憶されている表示パターン、またはモデムを介してネットワークから受信した表示パターンを、着脱可能な記録媒体Ｍに書き込む。そして、カーオーディオ装置１０は、記録媒体Ｍから表示パターンを読み出して、新規の表示パターンとして登録する。
【００１２】
次に、図２を参照してカーオーディオ装置１０の機能的構成について説明する。
図２に示す様に、カーオーディオ装置１０は、ＣＰＵ１１、操作部１２、表示部１５、ＲＡＭ１４、記録媒体Ｍを着脱可能に備える記憶部１３、コントローラ１６、音声出力部１７、車速検知部１８より要部構成される。
【００１３】
ＣＰＵ（Central Processing Unit）１１は、操作部１２のモードキー１２ａから供給される操作信号に基づき各モードに応じた動作を実行制御するため、記憶部１３に格納されたシステムプログラムに従ってカーオーディオ装置１０の各部を集中制御する。実行可能なモードとしては、例えば、音楽を再生するプレイモード、ラジオを放送するラジオモード等がある。これら各モードには更に、選択された表示パターンを表示部１５に表示させる表示モードと、何も表示しない非表示モードとがある。
【００１４】
操作部１２は、モードキー１２ａ、表示切替キー１２ｂ、及び操作キー１２ｃを備え、これら各キーの操作に基づく操作信号をＣＰＵ１１へ出力する。モードキー１２ａは、上述したプレイモード、ラジオモード、表示モード、非表示モード等の各種モードの切替を指示する。表示切替キー１２ｂは、表示モードにおいて、記憶部１３或いは記録媒体Ｍに記憶されている表示パターンの内、表示部１５に表示する表示パターンの選択を指示する。操作キー１２ｃは、音楽データの再生或いは停止を指示する再生／停止スイッチ、前曲を選択する巻戻しスイッチ、次曲を選択する早送りスイッチ等を含んで構成される。
【００１５】
記憶部１３は、カーオーディオ装置１０に対応するシステムプログラム及び当該システムに対応する各種アプリケーションプログラム、及び各種表示パターンを更新可能に記憶している固定的に設けられた半導体メモリである。記憶部１３には、予めメーカーによって登録された表示パターンが記憶されているが、後述の記録媒体Ｍを介して新規の表示パターンを追加することもできる。
【００１６】
記録媒体Ｍは、記憶部１３に着脱自在に装着するものであり、フラッシュメモリ等の不揮発性の半導体記憶素子から成る小型・可搬の記録媒体である。具体的には、ＣＤ−ＲＷ（Compact Disc-ReWritable）、ＦＤ（Floppy Disk）等が挙げられる。記録媒体Ｍには、ＰＣ２０を始めとする外部端末から読み出された表示データである４種類の表示パターンＡ，Ｂ，Ｃ，Ｄが、４段階の車速データ（0〜24，25〜49，50〜74，75km/h以上）と対応付けて、更新或いは追加可能に記憶されている。
【００１７】
なお、これら新規に登録する表示パターンは、必ずしもユーザが自作したものとは限らず、記録媒体Ｍを介して友人から入手したもの、ネットワークからダウンロードしたもの、既存の表示パターンを編集したもの等であってもよい。更に、編集する端末は、カーオーディオ装置１０であってもよいし、カーオーディオ装置１０とは別体に構成されたＰＣ２０等の端末であってもよい。
【００１８】
ＲＡＭ（Random Access Memory）１４は、ＣＰＵ１１により実行される表示制御処理において、当該処理プログラム、記録媒体Ｍや記憶部１３から取得される表示パターンや音楽データ等を一時的に保持する。
表示部１５は、ＣＰＵ１１から入力される指示に従って、ＲＡＭ１４に保持されている表示パターンを表示する。
【００１９】
コントローラ１６は、後述する音声出力部１７による音楽再生を制御する。すなわち、ＣＰＵ１１から再生開始要求が入力されると、ＲＡＭ１４に保持されている音楽データを音声出力部１７に送出させる。
【００２０】
音声出力部１７は、所定の方式で符号化された音楽データを復号化し、ＰＣＭ（Pulse Code Modulation）信号を生成する。生成されたＰＣＭ信号は、Ｄ／Ａ変換処理によりアナログオーディオ信号に変換され、図示しないスピーカ或いはヘッドフォン端子へ出力される。
【００２１】
車速検知部１８は、単位時間当たりのホイール回転数等から、カーオーディオ装置１０が搭載された自動車の走行速度（以下、「車速」と記す。）を算出して速度メータへの表示を行う速度計測部（図示略）から、現在の車速を検知する。そして、検知された車速に対応する表示パターンが表示されていない場合には、その表示パターンへの切替を指示する信号をＣＰＵ１１へ出力する。
【００２２】
次に、本実施の形態における動作を説明する。
以下、表示制御処理について、図３のフローチャートを参照して説明する。先ず、ＰＣ２０によって４種類の表示パターンＡ，Ｂ，Ｃ，Ｄが書き込まれた記録媒体Ｍを記憶部１３に装着して、新規の表示パターンとして登録する（ステップＳ１）。この時、記録媒体Ｍ内の表示パターンを一度記憶部１３内の所定の記憶領域に移動或いはコピーして登録する。これにより、記録媒体Ｍが未装着の状態でも、新規の表示パターンを利用できる。
【００２３】
次に、ユーザによる表示切替キー１２ｂの操作によって、所望の表示パターンが選択されると（ステップＳ２；Ｙｅｓ）、ＣＰＵ１１は、選択された表示パターンが既存のものであるか、ステップＳ１で新規に登録されたものであるかを判別する（ステップＳ３）。なお、所望の表示パターンが選択されない間は、ＣＰＵ１１は、切替操作の待機状態を継続する。
【００２４】
ステップＳ３において、新規の表示パターンが選択された場合（ステップＳ３；Ｙｅｓ）、ＣＰＵ１１は、その表示パターンを表示部１５に表示させる（ステップＳ４）。一方、新規の表示パターンが選択されなかった場合、すなわち、既存の表示パターンが選択された場合（ステップＳ３；Ｎｏ）、ＣＰＵ１１は、その表示パターンを表示部１５に表示させる（ステップＳ５）。
【００２５】
次に、ＣＰＵ１１は、車速検知部１８から入力される表示パターンの切替を指示する信号を待機する（ステップＳ６）。その後、表示パターンの切替を指示する信号が検知された場合には（ステップＳ６；Ｙｅｓ）、ＣＰＵ１１は、車速検知部１８から切替を指示された表示パターンへの表示切替を行う。その結果、表示部１５には、以前と異なる表示パターンが表示される（ステップＳ７）。
【００２６】
図４は、ステップＳ６〜Ｓ７の各処理で切替表示される一連の表示パターンの一例を示す図である。図４に示す様に、例えば、車速が0〜24km/h（低速走行）の場合には亀が歩く姿（図４（ａ）参照）が表示され、車速が25〜49km/hに加速されると、うさぎの姿（図４（ｂ）参照）が切替表示される。以下同様に、50〜74 km/h，75km/h以上と加速するに連れて、犬、馬が走る姿が表示される。
【００２７】
以上説明した様に、本発明に係るカーオーディオ装置１０によれば、記録媒体Ｍに記録されたユーザの所望する表示パターンを取得して新規の表示パターンとして登録し、ユーザの指示に伴って、登録された表示パターンを表示部１５に適宜表示させる。従って、既存の表示パターンのみを表示させる従来のカーオーディオ装置に比べて、ユーザは表示パターンの選択自由度を高めることができる。また、車速、現在位置、音量等の外的要因の程度に応じて異なる複数の表示パターンを登録し、表示パターンの切替指示に伴って、複数の表示パターンを切り替えて表示させる。これにより、ユーザは現在の表示パターンを見るだけで外的要因の状況を容易かつ瞬時に把握することができる。
【００２８】
なお、上記実施の形態における記述内容は、本発明に係るカーオーディオ装置の好適な一例であり、これに限定されるものではない。
例えば、上記実施の形態では、記録媒体Ｍを装着する記憶部１３をカーオーディオ装置１０に内蔵する構成としたが、カーオーディオ装置１０に外部機器接続コネクタ部を設け、ＰＣや外付ドライブ装置等の外部機器から接続アタッチメントを介して伝送される表示パターンを記憶部１３に書き込むものとしてもよい。
【００２９】
また、上記実施の形態では、本発明をカーオーディオ装置１０に適用したが、車載テレビの表示画面に適用すれば、従来の様に走行中に画面表示を消去したり、警告メッセージを表示させる等の表示パターンに加えて、走行中にユーザが所望する新規の表示パターンを切り替えて表示させることもできる。
その他、カーオーディオ装置１０の細部構成、詳細動作に関しても本発明の趣旨を逸脱することのない範囲において、適宜変更可能である。
【００３０】
【発明の効果】
請求項１または３記載の発明によれば、ユーザが所望の表示パターンを登録して、既存の表示パターンに追加することができ、表示パターンの選択範囲が広がる。これにより、ハード的には同一のカーオーディオ装置であっても、各装置の独自性や娯楽性を高じることができる。また、記録媒体を介して外部から表示パターンをカーオーディオ装置に登録できる。これにより、ユーザ自作の表示パターンを使用することは勿論、第三者間での表示パターンの交換やネットワークからダウンロードした表示パターンの使用が可能となる。更に、メーカーがその記録媒体をカーオーディオ装置に標準添付したり、単体として販売することによって製品の差別化を図ることもできる。
【００３１】
請求項２記載の発明によれば、請求項１記載の発明の効果に加えて、ユーザは画面上に表示されている表示パターンを見るだけで、車速、現在位置、音量等の現在の外的状況を容易かつ瞬時に把握できる。特に、運転中の様に、表示画面を長時間見ることが適さない場合には効果的である。
【図面の簡単な説明】
【図１】本発明に係るカーオーディオ装置の一実施の形態であるカーオーディオ装置１０とＰＣ２０間における表示パターンの授受を概念的に示す図である。
【図２】カーオーディオ装置１０の機能的構成を示すブロック図である。
【図３】カーオーディオ装置１０の動作を説明するフローチャートである。
【図４】表示モードにおける表示部１５の表示例を示す図である。
【符号の説明】
１０    カーオーディオ装置
１１    ＣＰＵ
１２    操作部
１２ａ    モードキー
１２ｂ    表示切替キー
１２ｃ    操作キー
１３    記憶部
１４    ＲＡＭ
１５    表示部
１６    コントローラ
１７    音声出力部
１８    車速検知部
Ｍ    記録媒体
【図１】
0003913466.tif 000002
【図２】
0003913466.tif 000003
【図３】
0003913466.tif 000004
【図４】
0003913466.tif 000005